(57)【要約】【課題】簡易な構成で、画像の表示タイミングを調整する。【解決手段】電源の供給が開始されてから投射部１１０Ａが画像の投射を開始するまでの設定時間が記憶されている記憶部１５１Ａと、操作を受け付けるリモコン５と、リモコン５により受け付けた操作に基づいて、設定時間を変更する制御部１５５Ａとを備え、制御部１５５Ａは、電源の供給が開始されると、設定時間が経過した後に、投射部１１０Ａに画像の投射を開始させるプロジェクター１００Ａ。【選択図】図２
2018165738.tif 000002
【特許請求の範囲】
【請求項１】
画像を表示する表示部と、
前記画像を表示させるための指示が入力される入力部と、
前記入力部に前記指示が入力されてから前記表示部に前記画像を表示させるまでの設定時間が記憶されている記憶部と、
操作を受け付ける操作受付部と、
前記操作受付部により受け付けた操作に基づいて、前記設定時間を変更する変更部と、
前記入力部に前記指示が入力されてから、前記記憶部に記憶されている前記設定時間が経過した後に、前記表示部により前記画像を表示させる制御部と、
を備える表示装置。
【請求項２】
前記制御部は、前記入力部に前記指示が入力されてから、前記設定時間が経過するまでの間、前記表示部により予め設定された画像を表示させる請求項１記載の表示装置。
【請求項３】
前記制御部は、前記予め設定された画像として、前記表示部により前記画像を表示させるまでの残り時間を示す画像を表示させる請求項２記載の表示装置。
【請求項４】
前記制御部は、前記操作受付部により操作を受け付けると、前記表示部により前記設定時間を示す画像を表示させる請求項１から３のいずれか１項に記載の表示装置。
【請求項５】
前記制御部は、前記設定時間を経過した後に、前記表示部により前記画像を表示させることができなかった場合に、前記画像の表示ができない旨を示す画像を前記表示部により表示させる請求項１から４のいずれか１項に記載の表示装置。
【請求項６】
前記制御部は、前記入力部に前記指示が入力されてから、前記設定時間が経過した後に前記表示部により前記画像を表示させる第１モードと、前記入力部に前記指示が入力されると、前記設定時間の経過を待たずに前記表示部により前記画像を表示させる第２モードとを切り替えて実行する請求項１から５のいずれか１項に記載の表示装置。
【請求項７】
第１の表示装置と、第２の表示装置とを備える表示システムであって、
前記第１の表示装置及び前記第２の表示装置はそれぞれ、
画像を表示する表示部と、
前記画像を表示させるための指示が入力される入力部と、
前記入力部に前記指示が入力されてから前記表示部に前記画像を表示させるまでの設定時間が記憶されている記憶部と、
操作を受け付ける操作受付部と、
前記操作受付部により受け付けた操作に基づいて、前記設定時間を変更する変更部と、
前記入力部に前記指示が入力されてから、前記記憶部に記憶されている前記設定時間が経過した後に、前記表示部により前記画像を表示させる制御部と、
を備え、
前記第１の表示装置が備える前記入力部に前記指示が入力されるタイミングと、前記第２の表示装置が備える前記入力部に前記指示が入力されるタイミングとを調整して、前記第１の表示装置が前記画像を表示するタイミングと、前記第２の表示装置が前記画像を表示するタイミングとを調整する表示システム。
【請求項８】
前記第１の表示装置及び前記第２の表示装置は、共通の電源ラインに接続され、
前記電源ラインには、電源の供給をオン、オフするスイッチが設けられ、
前記第１の表示装置及び前記第２の表示装置の備える前記入力部の各々には、前記スイッチがオンされたタイミングで、前記指示が入力される請求項７記載の表示システム。
【請求項９】
画像を表示する表示部と、前記画像を表示させるための指示が入力される入力部と、前記入力部に前記指示が入力されてから前記表示部に前記画像を表示させるまでの設定時間が記憶されている記憶部とを備える表示装置の制御方法であって、
前記記憶部に記憶されている前記設定時間を、操作受付部により受け付けた操作に基づいて変更すること、
前記入力部に前記指示が入力されてから、前記記憶部に記憶されている前記設定時間が経過した後に、前記表示部により前記画像を表示させること、
を有する表示装置の制御方法。
【発明の詳細な説明】
【技術分野】
【０００１】
本発明は、表示装置、表示システム及び表示装置の制御方法に関する。
【背景技術】
【０００２】
従来、複数の表示装置により画像を表示させて、表示面に全体として１つの画像を表示させる表示システムが知られている。表示面に全体として１つの画像を表示させるためには、各表示装置に画像を表示させるタイミングを同期させる必要がある（例えば、特許文献１参照）。
特許文献１は、表示指示を表す同期信号としての表示指示パケットを生成し、ネットワークに接続された他の装置に一斉同報通信するタイミングサーバーを開示する。
【先行技術文献】
【特許文献】
【０００３】
【特許文献１】特開２００５−２５０４４５号公報
【発明の概要】
【発明が解決しようとする課題】
【０００４】
ところで、各表示装置が表示する画像の再生タイミングを同期させる場合、引用文献１に開示のタイミングサーバーのように、各表示装置が画像の再生を開始するタイミングを管理する上位装置が別途必要になるため、構成が大型化する。
本発明は、簡易な構成で、画像の表示タイミングを調整することを目的とする。
【課題を解決するための手段】
【０００５】
上記課題を解決するために、本発明は、画像を表示する表示部と、前記画像を表示させるための指示が入力される入力部と、前記入力部に前記指示が入力されてから前記表示部に前記画像を表示させるまでの設定時間が記憶されている記憶部と、操作を受け付ける操作受付部と、前記操作受付部により受け付けた操作に基づいて、前記設定時間を変更する変更部と、前記入力部に前記指示が入力されてから、前記記憶部に記憶されている前記設定時間が経過した後に、前記表示部により前記画像を表示させる制御部と、を備える。
本発明によれば、表示装置は、入力部に指示が入力されてから設定時間を経過すると、画像を表示する。従って、入力部に指示が入力されるタイミングを基準として、表示装置が画像を表示させるタイミングを設定することができる。例えば、複数の表示装置に画像を表示させる場合に、複数の表示装置に、同一の設定時間を設定し、複数の表示装置に指示が入力されるタイミングを調整することで、複数の表示装置が画像を表示するタイミングを一致させることができる。このため、簡易な構成で、画像の表示タイミングを調整することができる。
【０００６】
また、本発明は、前記制御部は、前記入力部に前記指示が入力されてから、前記設定時間が経過するまでの間、前記表示部により予め設定された画像を表示させる。
本発明によれば、設定時間が経過するまでの間、予め設定された画像を表示させることができる。従って、画像の表示が開始されるまでの間に、予め設定された画像が表示されるので、表示装置が画像の投射を開始していないことを示すことができる。
【０００７】
また、本発明は、前記制御部は、前記予め設定された画像として、前記表示部により前記画像を表示させるまでの残り時間を示す画像を表示させる。
本発明によれば、予め設定された画像として、残り時間を示す画像が表示されるので、使用者に、画像の表示が開始されるまでの残り時間を認識させることができる。
【０００８】
また、本発明は、前記制御部は、前記操作受付部により操作を受け付けると、前記表示部により前記設定時間を示す画像を表示させる。
本発明によれば、操作受付部の操作により、設定時間を示す画像を表示させることができる。このため、設定された設定時間を使用者に認識させることができる。
【０００９】
また、本発明は、前記制御部は、前記設定時間を経過した後に、前記表示部により前記画像を表示させることができなかった場合に、前記画像の表示ができない旨を示す画像を前記表示部により表示させる。
本発明によれば、画像が表示できなかった場合に、画像の表示ができない旨を示す画像が表示される。このため、画像が表示できなかった旨を使用者に通知することができる。
【００１０】
また、本発明は、前記制御部は、前記入力部に前記指示が入力されてから、前記設定時間が経過した後に前記表示部により前記画像を表示させる第１モードと、前記入力部に前記指示が入力されると、前記設定時間の経過を待たずに前記表示部により前記画像を表示させる第２モードとを切り替えて実行する。
本発明によれば、第１モードの場合には、設定時間が経過した後に表示部に画像の表示を開始させることができ、第２モードの場合には、設定時間が経過する前に表示部に画像の表示を開始させることができる。このため、他の表示装置と画像の表示タイミングを同期させる第１モードと、画像の表示タイミングを同期させずに画像の表示を開始させる第２モードとを切り替えて実行させることができる。
【００１１】
上記課題を解決するために、本発明は、第１の表示装置と、第２の表示装置とを備える表示システムであって、前記第１の表示装置及び前記第２の表示装置はそれぞれ、画像を表示する表示部と、前記画像を表示させるための指示が入力される入力部と、前記入力部に前記指示が入力されてから前記表示部に前記画像を表示させるまでの設定時間が記憶されている記憶部と、操作を受け付ける操作受付部と、前記操作受付部により受け付けた操作に基づいて、前記設定時間を変更する変更部と、前記入力部に前記指示が入力されてから、前記記憶部に記憶されている前記設定時間が経過した後に、前記表示部により前記画像を表示させる制御部と、を備え、前記第１の表示装置が備える前記入力部に前記指示が入力されるタイミングと、前記第２の表示装置が備える前記入力部に前記指示が入力されるタイミングとを調整して、前記第１の表示装置が前記画像を表示するタイミングと、前記第２の表示装置が前記画像を表示するタイミングとを調整する。
本発明によれば、第１の表示装置及び第２の表示装置の入力部に、指示が入力されるタイミングを調整することで、第１の表示装置及び第２の表示装置が画像を表示するタイミングを調整することができる。このため、簡易な構成で、画像の表示タイミングを調整することができる。
【００１２】
また、本発明は、前記第１の表示装置及び前記第２の表示装置は、共通の電源ラインに接続され、前記電源ラインには、電源の供給をオン、オフするスイッチが設けられ、前記第１の表示装置及び前記第２の表示装置の備える前記入力部の各々には、前記スイッチがオンされたタイミングで、前記指示が入力される。
本発明によれば、スイッチがオンされたタイミングで、第１の表示装置及び第２の表示装置に指示が入力される。このため、スイッチをオンすることで、第１の表示装置及び第２の表示装置に指示を入力させ、第１の表示装置及び第２の表示装置に設定時間の経過後に画像を表示させることができる。
【００１３】
上記課題を解決するために、本発明は、画像を表示する表示部と、前記画像を表示させるための指示が入力される入力部と、前記入力部に前記指示が入力されてから前記表示部に前記画像を表示させるまでの設定時間が記憶されている記憶部とを備える表示装置の制御方法であって、前記記憶部に記憶されている前記設定時間を、操作受付部により受け付けた操作に基づいて変更すること、前記入力部に前記指示が入力されてから、前記記憶部に記憶されている前記設定時間が経過した後に、前記表示部により前記画像を表示させること、を有する。
本発明によれば、表示装置は、入力部に指示が入力されてから設定時間を経過すると、画像を表示する。従って、入力部に指示が入力されるタイミングを基準として、表示装置が画像を表示させるタイミングを設定することができる。例えば、複数の表示装置に画像を表示させる場合に、複数の表示装置に、同一の設定時間を設定し、複数の表示装置に指示が入力されるタイミングを調整することで、複数の表示装置が画像を表示するタイミングを一致させることができる。このため、簡易な構成で、画像の表示タイミングを調整することができる。
【図面の簡単な説明】
【００１４】
【図１】表示システムのシステム構成図。
【図２】プロジェクターの構成図。
【図３】プロジェクターの動作を示すタイミング図。
【図４】登録テーブルの一例を示す図。
【図５】投射開始時間の設定動作を示すフローチャート。
【図６】電源オン後のプロジェクターの動作を示すフローチャート。
【発明を実施するための形態】
【００１５】
以下、添付図面を参照して本発明の実施形態について説明する。
図１は、本発明を適用した表示システム１のシステム構成図である。
本実施形態の表示システム１は、複数のプロジェクター１００を備える。図１には、複数のプロジェクター１００としてプロジェクター１００Ａ、１００Ｂ及び１００Ｃの３台のプロジェクター１００を示す。表示システム１として構成可能なプロジェクター１００の台数は３台に限定されるものではなく、２台以上であればよい。また、以下の説明において、プロジェクター１００Ａ、１００Ｂ及び１００Ｃを総称する場合に、プロジェクター１００と表記する。プロジェクター１００Ａ、１００Ｂ及び１００Ｃは、本発明の「表示装置」、「第１の表示装置」及び「第２の表示装置」に相当する。
【００１６】
プロジェクター１００Ａ、１００Ｂ及び１００Ｃは、それぞれコネクター１７Ａ、１７Ｂ、１７Ｃを介してダクトレール１５（共通の電源ライン）に取り付けられる。ダクトレール１５は、プロジェクター１００に電源を供給するレールであり、天井面、壁面又は床面等に設置される。
本実施形態では、ダクトレール１５を室内の壁面に設置し、このダクトレール１５に接続したプロジェクター１００Ａ、１００Ｂ及び１００Ｃが室内の天井面や、壁面、床面又はスクリーンＳＣ等に画像を表示する場合について説明する。以下の説明では、プロジェクター１００Ａ、１００Ｂ及び１００Ｃが画像を投射する天井面や、壁面、床面、又はスクリーンＳＣ等を総称して投射面という。
本実施形態では、プロジェクター１００をダクトレール１５に接続する構成について説明するが、プロジェクター１００をブラケット（支持具）で天井面や壁面に取り付ける構成であってもよい。コネクター１７Ａ、１７Ｂ及び１７Ｃは、ダクトレール１５と、プロジェクター１００Ａ、１００Ｂ及び１００Ｃとを電気的に接続する接続部である。
【００１７】
ダクトレール１５は、電源スイッチ１３を介して商用電源１１に接続される。電源スイッチ１３は、手動のスイッチであり、例えば、壁面等に設置される。電源スイッチ１３は、リモコン５等を用いて遠隔操作が可能なものであってもよい。電源スイッチ１３がオンされると、プロジェクター１００Ａ、１００Ｂ及び１００Ｃは、電源スイッチ１３のオンへの変化に同期して商用電源１１に接続され、商用電源１１から電源が供給される。
【００１８】
図２は、プロジェクター１００Ａの構成を示す構成図である。プロジェクター１００Ａ、１００Ｂ及び１００Ｃは、ほぼ同一の構成を備える。このため、以下の説明では、プロジェクター１００Ａ、１００Ｂ及び１００Ｃを代表して、プロジェクター１００Ａの構成について説明し、プロジェクター１００Ｂ及び１００Ｃの構成の説明は省略する。
【００１９】
プロジェクター１００Ａは、光学的な画像の形成を行い、形成された画像光を投射する投射部１１０Ａを備える。投射部１１０Ａは、光源部１１１Ａ、光変調装置１１２Ａ及び投射光学系１１３Ａを備える。投射部１１０Ａは、本発明の「表示部」として動作する。
光源部１１１Ａは、キセノンランプや、超高圧水銀ランプ、ＬＥＤ（Light Emitting Diode）、レーザー光源等からなる光源を備える。また、光源部１１１Ａは、光源が発した光を光変調装置１１２Ａに導くリフレクター及び補助リフレクターを備えていてもよい。さらに、光源部１１１Ａは、投射光の光学特性を高めるためのレンズ群、偏光板、又は光源が発した光の光量を光変調装置１１２Ａに至る経路上で低減させる調光素子等（いずれも図示略）を備えていてもよい。
【００２０】
光源部１１１Ａは、光源駆動部１２１Ａにより駆動される。光源駆動部１２１Ａは、バス１６０Ａに接続され、同じくバス１６０Ａに接続された制御部１５５Ａの制御に従い、光源部１１１Ａの光源の点灯、消灯を切り替える。
【００２１】
光変調装置１１２Ａは、例えば、ＲＧＢの三原色に対応した３枚の液晶パネルを備える。光源部１１１Ａが発する光はＲＧＢの３色の色光に分離され、それぞれ対応する液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系１１３Ａに出力される。
【００２２】
光変調装置１１２Ａは、光変調装置駆動部１２２Ａにより駆動される。光変調装置駆動部１２２Ａは、バス１６０Ａに接続される。
光変調装置駆動部１２２Ａには、後述する画像処理部１４１ＡからＲ，Ｇ，Ｂの各原色に対応する画像データが入力される。光変調装置駆動部１２２Ａは、入力された画像データを液晶パネルの動作に適したデータ信号に変換する。光変調装置駆動部１２２Ａは、変換したデータ信号に基づいて、各液晶パネルの各画素に電圧を印加し、各液晶パネルに画像を描画する。
【００２３】
投射光学系１１３Ａは、光変調装置１１２Ａにより変調された画像光を投射面に投射して結像させるレンズ群を備える。また、投射光学系１１３Ａは、投射面に投射される画像光の画像を拡大又は縮小させるズーム機構や、フォーカスの調整を行うフォーカス調整機構を備えていてもよい。
【００２４】
プロジェクター１００Ａは、リモコン受光部１３１Ａ及び入力処理部１３３Ａを備える。リモコン受光部１３１Ａは、入力処理部１３３Ａに接続される。入力処理部１３３Ａは、リモコン受光部１３１Ａに接続されると共に、バス１６０Ａに接続される。
【００２５】
プロジェクター１００Ａは、ユーザーが使用するリモコン５を有する。リモコン５は各種のボタンを備えており、これらのボタンの操作に対応して赤外線信号を送信する。
リモコン受光部１３１Ａは、リモコン５から送信される赤外線信号を受光する。入力処理部１３３Ａは、リモコン受光部１３１Ａが受光した赤外線信号をデコードして、リモコン５における操作内容を示す操作信号を生成し、制御部１５５Ａに出力する。
リモコン５、リモコン受光部１３１Ａ及び入力処理部１３３Ａは、本発明の「操作受付部」として動作する。
【００２６】
プロジェクター１００Ａは、電源部１３５Ａを備える。電源部１３５Ａは、本発明の「入力部」に相当する。
電源部１３５Ａは、コネクター１７Ａに接続される。電源部１３５Ａには、コネクター１７Ａを介して商用電源１１から交流電源が入力される。電源スイッチ１３がオンされ、商用電源１１から供給される交流電源が、本発明の「指示」に相当する。
電源部１３５Ａは、供給された交流電源を直流に変換して、プロジェクター１００Ａ内の制御系の各部に対し、３．３Ｖ、５Ｖ等の低電圧の電源を供給する。また、電源部１３５Ａは、光源部１１１Ａや光源駆動部１２１Ａに対し、１２Ｖの高電圧の電源を供給する。図２には、電源部１３５Ａと制御部１５５Ａとを接続する電源線を示すが、電源部１３５Ａは、光源部１１１Ａや光源駆動部１２１Ａ等のプロジェクター１００Ａを構成する各部に接続され、接続された各部に電源を供給する。
本実施形態では、商用電源１１から電源部１３５Ａに入力される交流電源を指示として説明するが、電源部１３５Ａに交流電源が入力され、電源部１３５Ａから制御部１５５Ａ（ＣＰＵ）に供給される電源を指示としてもよい。
【００２７】
プロジェクター１００Ａは、画像処理系を備える。この画像処理系は、プロジェクター１００Ａの全体を統合的に制御する制御部１５５Ａを中心に構成され、この他に、画像処理部１４１Ａ、フレームメモリー１４３Ａ及び記憶部１５１Ａを備える。制御部１５５Ａ、画像処理部１４１Ａ及び記憶部１５１Ａは、バス１６０Ａにより相互にデータ通信可能に接続される。
【００２８】
フレームメモリー１４３Ａは、画像データを展開可能な記憶容量を有し、画像処理部１４１Ａの処理によって画像データが展開される。フレームメモリー１４３Ａは、例えば、ＳＤＲＡＭ（Synchronous Dynamic Random Access Memory）により構成することができる。ＳＤＲＡＭは、クロックに同期してデータの読み出し及び書き込みを行うＤＲＡＭである。
【００２９】
画像処理部１４１Ａは、記憶部１５１Ａに記憶された画像データを読み込み、読み込んだ画像データをフレームメモリー１４３Ａに展開する。画像処理部１４１Ａは、フレームメモリー１４３Ａに展開した画像データに対して画像処理を行う。画像処理部１４１Ａが行う処理には、例えば、解像度変換（スケーリング）処理又はリサイズ処理、歪み補正等の形状補正処理、デジタルズーム処理、色調補正処理、輝度補正処理等が含まれる。画像処理部１４１Ａは、制御部１５５Ａにより指定された処理を実行し、必要に応じて、制御部１５５Ａから入力されるパラメーターを使用して処理を行う。また、画像処理部１４１Ａは、上記のうち複数の処理を組み合わせて実行することも勿論可能である。画像処理部１４１Ａは、画像処理の完了した画像データをフレームメモリー１４３Ａから読み出して、光変調装置駆動部１２２Ａに出力する。
【００３０】
記憶部１５１Ａは、例えば、ハードディスク装置等の補助記憶装置である。記憶部１５１Ａは、ＤＲＡＭ（Dynamic RAM）、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクで代替されてもよい。記憶部１５１Ａは、制御部１５５Ａが実行する制御プログラムや、画像処理部１４１Ａが実行する画像処理のパラメーター等の各種データを記憶する。また、記憶部１５１Ａは、プロジェクター１００Ａが投射面に投射する画像データを記憶する。
また、記憶部１５１Ａは、設定テーブル１５３Ａを記憶する。設定テーブル１５３Ａには、設定時間と、各設定時間を識別する識別情報とが対応付けて登録される。設定テーブル１５３Ａ及び設定時間の詳細については後述する。
また、記憶部１５１Ａは、プロジェクター１００Ａの投射開始時間の情報を記憶する。投射開始時間とは、プロジェクター１００Ａに電源が供給されてから、プロジェクター１００が画像の投射を開始するまでの時間である。すなわち、投射開始時間は、プロジェクター１００Ａに指示が入力されてから、プロジェクター１００が画像の投射を開始するまでの時間である。
【００３１】
制御部１５５Ａは、ハードウェアとしてＣＰＵ、ＲＯＭ及びＲＡＭ（いずれも図示略）で構成される。ＲＯＭは、フラッシュＲＯＭ等の不揮発性の記憶装置であり、制御プログラム及びデータを記憶する。ＲＡＭは、ＣＰＵのワークエリアを構成する。ＣＰＵは、ＲＯＭや記憶部１５１Ａから読み出した制御プログラムをＲＡＭに展開し、展開された制御プログラムを実行してプロジェクター１００Ａの各部を制御し、制御部１５５Ａの機能を実行する。なお、このＣＰＵが光源駆動部１２１Ａ、光変調装置駆動部１２２Ａ、入力処理部１３３Ａ、画像処理部１４１Ａの機能を実行するようにしてもよい。また、一つのＣＰＵ（又は半導体チップ）により制御部１５５Ａの機能（又は制御部１５５Ａの機能に加えて、光源駆動部１２１Ａ、光変調装置駆動部１２２Ａ、入力処理部１３３Ａ、画像処理部１４１Ａ等の機能）を実行するようにしてもよい。また、複数のＣＰＵ（又は半導体チップ）でこの機能を実行するようにしてもよい。制御部１５５Ａは、本発明の「変更部」及び「制御部」として動作する。
【００３２】
制御部１５５Ａは、プロジェクター１００Ａの各部を制御して、投射面に画像光を投射する。より詳細には、制御部１５５Ａは、画像処理部１４１Ａに、画像データを処理させる。この際、制御部１５５Ａは、画像処理部１４１Ａの処理に必要なパラメーターを記憶部１５１Ａから読み出し、画像処理部１４１Ａに出力してもよい。
また、制御部１５５Ａは、光変調装置駆動部１２２Ａを制御して光変調装置１１２Ａの液晶パネルに画像を描画させる。さらに、制御部１５５Ａは、光源駆動部１２１Ａを制御して光源部１１１Ａの光源を点灯させ、光源の輝度を調整させる。これにより、光源の発する光が光変調装置１１２Ａにより変調されて画像光となり、この画像光が投射光学系１１３Ａにより投射面に投射される。
【００３３】
表示システム１についてさらに説明する。
プロジェクター１００Ａ、１００Ｂ及び１００Ｃは、各プロジェクター１００に電源を供給するダクトレール１５でのみ接続される。このため、プロジェクター１００Ａ、１００Ｂ及び１００Ｃは、他のプロジェクター１００と通信を行ってデータの送受信を行うことはできない。
【００３４】
また、プロジェクター１００Ａ、１００Ｂ及び１００Ｃの性能には個体差がある。プロジェクター１００Ａ、１００Ｂ及び１００Ｃとして、それぞれ異なる機種を用いることも可能であり、この場合、プロジェクター１００Ａ、１００Ｂ及び１００Ｃの性能の違いはさらに大きくなる。このため、プロジェクター１００に電源の供給が開始されてから、プロジェクター１００が画像の投射を可能な状態になるまでにかかる時間は、プロジェクター１００Ａ、１００Ｂ及び１００Ｃによって異なる。
【００３５】
そこで、本実施形態では、プロジェクター１００Ａ、１００Ｂ及び１００Ｃに指示としての電源が供給されるタイミングを調整して、各プロジェクター１００が画像を投射するタイミングを調整する。各プロジェクター１００に電源が供給されるタイミングは、各プロジェクター１００を、商用電源１１に接続されたダクトレール１５に接続し、電源スイッチ１３がオンされることで、同じタイミングで各プロジェクター１００に電源が供給されるようにする。
【００３６】
プロジェクター１００への電源の供給が開始されてから、プロジェクター１００が画像の投射を開始するまでの時間である投射開始時間には、実起動時間と設定時間との２つの時間がある。このうちプロジェクター１００Ａ、１００Ｂ及び１００Ｃの性能の違いに起因して、プロジェクター１００Ａ、１００Ｂ及び１００Ｃの投射開始時間に違いが生じるのは、実起動時間である。
【００３７】
実起動時間は、プロジェクター１００の起動処理が完了するまでの時間である。
起動処理では、まず、プロジェクター１００への電源の供給が開始され、制御部１５５のＣＰＵが起動して制御プログラムを実行する。次に、ＣＰＵの制御により光源部１１１への電源が供給され、光源部１１１の温度が予め設定された温度以上に上昇して光源部１１１の光量が予め設定された光量以上となり、画像光の投射が可能となる。ここまでの処理が起動処理であり、この起動処理が完了するまでの時間が実起動時間である。起動処理が完了することで、プロジェクター１００Ａは、画像の投射が可能な状態となる。プロジェクター１００は、投射開始時間として実起動時間が設定されている場合、起動処理の完了後、直ちに投射面への画像の投射を開始する。
【００３８】
設定時間は、使用者によって設定された投射開始時間であって、実起動時間よりも長い時間に設定される。
プロジェクター１００は、電源の供給が開始されると、上述した実起動時間の間に起動処理を行う。プロジェクター１００は、起動処理を完了すると、設定時間から実起動時間を引いた時間（以下、待機時間という）の間、画像の投射開始を待機するミュート状態となる。プロジェクター１００は、待機時間が経過すると、投射面への画像の投射を開始する。
例えば、プロジェクター１００Ａの実起動時間が４０００ｍｓであり、設定時間が７０００ｍｓであると仮定する。この場合、プロジェクター１００Ａは、実起動時間である４０００ｍｓの間に起動処理を行い、起動処理が終了すると、待機時間である３０００ｍｓの間、画像の投射開始を待機する。プロジェクター１００Ａは、３０００ｍｓの待機時間が経過すると投射面への画像の投射を開始する。
【００３９】
プロジェクター１００Ａ、１００Ｂ及び１００Ｃは、動作モードとして第１モードと第２モードとの２つの動作モードを備えている。第１モードは、プロジェクター１００への電源の供給が開始されてから、設定時間が経過した後に、投射面への画像の投射を開始するモードである。また、第２モードは、プロジェクター１００への電源の供給が開始されて、実起動時間が経過して起動処理が完了すると、投射面への画像の投射を開始するモードである。
【００４０】
図３は、電源スイッチ１３がオンされてからのプロジェクター１００Ａ、１００Ｂ及び１００Ｃの動作を示す図である。
本実施形態は、プロジェクター１００Ａ、１００Ｂ及び１００Ｃの投射開始時間を一致させるために、各プロジェクター１００に設定時間を設定する。図３において、プロジェクター１００Ａの実起動時間は４０００ｍｓ、プロジェクター１００Ｂの実起動時間は３０００ｍｓ、プロジェクター１００Ｃの実起動時間は６０００ｍｓであると仮定する。また、プロジェクター１００Ａ、１００Ｂ及び１００Ｃに設定された設定時間は、７０００ｍｓであると仮定する。
電源スイッチ１３がオンされ、プロジェクター１００Ａ、１００Ｂ及び１００Ｃへの電源の供給が開始されると、各プロジェクター１００は、実起動時間の間に起動処理を行う。実起動時間は、プロジェクター１００Ｂが３０００ｍｓで最も短いため、プロジェクター１００Ｂが最初に投射が可能な状態となる。プロジェクター１００Ｂの実起動時間は３０００ｍｓであり、設定時間は７０００ｍｓであるため、プロジェクター１００Ｂは、投射が可能な状態になってから４０００ｍｓの間、画像の投射開始を待機するミュート状態となる。
【００４１】
次に、プロジェクター１００Ａの実起動時間が経過する。プロジェクター１００Ａの実起動時間は４０００ｍｓであるため、プロジェクター１００Ａは、４０００ｍｓの間に起動処理を終了させ、その後、３０００ｍｓの間、画像の投射開始を待機するミュート状態となる。
次に、プロジェクター１００Ｃの実起動時間が経過する。プロジェクター１００Ｃの実起動時間は６０００ｍｓであるため、プロジェクター１００Ｃは、６０００ｍｓの間に起動処理を終了させ、その後、１０００ｍｓの間、画像の投射開始を待機するミュート状態となる。
【００４２】
電源スイッチ１３がオンされ、プロジェクター１００Ａ〜１００Ｃへの電源の供給が開始されてから７０００ｍｓを経過すると、ミュート状態にあるプロジェクター１００Ａ〜１００Ｃは、投射面への画像の投射を開始する。これによって、実起動時間が異なるプロジェクター１００であっても、画像の投射開始時間を一致させることができ、プロジェクター１００Ａ、１００Ｂ及び１００Ｃが投射する画像を一致させることができる。
上述の説明では、プロジェクター１００Ａ、１００Ｂ及び１００Ｃに設定時間を設定したが、プロジェクター１００Ａ及び１００Ｂの設定時間を６０００ｍｓに設定し、プロジェクター１００Ｃは設定時間の設定は行わないようにしてもよい。すなわち、プロジェクター１００Ａ及び１００Ｂは、第１モードで動作させ、プロジェクター１００Ｃは、第２モードで動作させる。第２モードで動作するプロジェクター１００Ｃは、起動処理が完了する実起動時間の経過後に画像の投射を開始する。このため、設定時間として６０００ｍｓが設定されたプロジェクター１００Ａ及び１００Ｂの投射開始時間と、プロジェクター１００Ｃの投射開始時間とが一致する。
【００４３】
図４は、記憶部１５１Ａに記憶される設定テーブル１５３Ａの一例を示す図である。図４には、プロジェクター１００Ａの記憶部１５１Ａに記憶された設定テーブル１５３Ａの一例を示すが、プロジェクター１００Ｂ及び１００Ｃも同様に、設定テーブル１５３Ｂ、１５３Ｃを記憶部１５１Ｂ、１５１Ｃに記憶している。
設定テーブル１５３Ａには、設定時間と、各設定時間を識別する識別情報とが対応付けて登録される。図４に示す設定テーブル１５３Ａでは、識別情報として設定１から設定１１までの識別番号が登録される。また、設定時間として設定可能な時間は、プロジェクター１００Ａの実起動時間よりも長い時間である。例えば、プロジェクター１００Ａの実起動時間が４０００ｍｓである場合、設定１として５０００ｍｓが登録され、以降、１０００ｍｓの間隔で、設定２〜設定１１の設定時間が設定される。また、設定テーブル１５３Ａに登録される設定時間は、使用者のリモコン５の操作により変更可能である。
【００４４】
制御部１５５Ａは、リモコン５が操作され、設定時間の設定要求を示す操作信号が入力されると、投射開始時間として設定時間が設定されている場合には、この投射開始時間として設定された設定時間を表示させる。制御部１５５Ａは、この他に、実起動時間と、設定テーブル１５３Ａに登録された設定時間の一覧とを投射面に表示させる。設定テーブル１５３Ａに登録された設定時間の１つが投射開始時間として設定されている場合には、この設定時間は表示させなくてもよい。また、制御部１５５Ａは、投射開始時間として実起動時間が設定されている場合には、設定テーブル１５３Ａに登録された設定時間の一覧を投射面に表示させる。
使用者は、リモコン５を操作して、投射面に表示された設定時間の一覧、実起動時間の中から投射開始時間として設定したい時間を選択する。制御部１５５Ａは、投射開始時間として選択された時間を示す操作信号が入力処理部１３３Ａから入力されると、選択された設定時間を、投射開始時間としてＲＡＭ又は記憶部１５１Ａに記憶させる。
【００４５】
また、制御部１５５Ａは、他のプロジェクター１００Ｂ、１００Ｃの実起動時間の情報が記憶部１５１Ａに記憶されている場合、設定時間の一覧を投射面に表示させるときに、プロジェクター１００Ａ、１００Ｂ及び１００Ｃの実起動時間も表示させてもよい。プロジェクター１００Ａ、１００Ｂ及び１００Ｃの実起動時間が表示されることで、他のプロジェクター１００の実起動時間よりも短い時間が設定時間として設定されないようにすることができる。
他のプロジェクター１００Ｂ、１００Ｃの実起動時間は、例えば、使用者がリモコン５を操作して入力させてもよい。また、例えば、プロジェクター１００Ａ、１００Ｂ及び１００Ｃが有線又は無線で接続されている場合には、プロジェクター１００間で、実起動時間の情報を通知し合ってもよい。
【００４６】
また、制御部１５５Ａは、プロジェクター１００Ａ、１００Ｂ及び１００Ｃの実起動時間の情報を記憶部１５１Ａに記憶している場合に、設定時間の一覧を投射面に表示するときに、おすすめの設定時間を投射面に表示させてもよい。例えば、制御部１５５Ａは、プロジェクター１００Ａ、１００Ｂ及び１００Ｃの実起動時間よりも長く、電源の供給が開始されてからの時間が最も短い時間をおすすめの設定時間として表示させる。
【００４７】
また、本実施形態では、プロジェクター１００Ａ、１００Ｂ及び１００Ｃは、起動処理が完了し、投射が可能な状態になるとミュート状態になるが、投射開始時間までの残り時間を示す表示を、予め設定された画像として表示させてもよい。使用者に、投射開始までの時間を通知することができる。また、プロジェクター１００Ａ、１００Ｂ及び１００Ｃは、起動処理が完了し、投射が可能な状態になると、黒画像等の所定の画像を表示させてもよい。
【００４８】
また、プロジェクター１００Ａ、１００Ｂ及び１００Ｃは、投射開始時間として設定された時間（実起動時間、又は設定時間）に、画像の投射を開始することができなかった場合に、投射面に画像の投射に失敗したことを示すエラーメッセージを表示させてもよい。エラーメッセージを表示は、本発明の「予め設定された画像」に相当する。画像の表示タイミングの同期に失敗したことを早急に使用者に通知することができる。
【００４９】
図５は、投射開始時間の設定動作を示すフローチャートである。プロジェクター１００Ａ、１００Ｂ及び１００Ｃは、図５に示すフローチャートに従って同一の動作を行うため、ここでは、プロジェクター１００Ａの動作について説明する。
制御部１５５Ａは、入力処理部１３３Ａからリモコン５の操作に対応した操作信号が入力されたか否かを判定する（ステップＳ１）。操作信号が入力されていない場合（ステップＳ１／ＮＯ）、制御部１５５Ａは、操作信号が入力されるまで待機する。
【００５０】
また、制御部１５５Ａは、操作信号が入力された場合（ステップＳ１／ＹＥＳ）、操作信号の示す操作は、投射開始時間の変更要求であるか否かを判定する（ステップＳ２）。投射開始時間の変更要求ではない場合（ステップＳ２／ＮＯ）、制御部１５５Ａは、受け付けた操作信号が示す操作に対応した処理を実行して（ステップＳ３）、この処理フローを終了する。
【００５１】
また、制御部１５５Ａは、受け付けた操作信号が示す操作が、投射開始時間の変更要求である場合（ステップＳ２／ＹＥＳ）、投射開始時間として設定された時間と、投射開始時間として設定可能な時間の一覧とを表示させる（ステップＳ４）。また、制御部１５５Ａは、プロジェクター１００Ａ、１００Ｂ及び１００Ｃの実起動時間に基づいて算出されるおすすめの設定時間を表示させてもよい（ステップＳ４）。制御部１５５Ａは、他のプロジェクター１００Ｂ、１００Ｃの実起動時間の情報が記憶部１５１Ａに記憶されている場合には、プロジェクター１００Ａ、１００Ｂ及び１００Ｃの実起動時間に基づいておすすめの設定時間を求め、投射面に表示させる。
【００５２】
次に、制御部１５５Ａは、投射開始時間として選択された時間を示す操作信号が入力されたか否かを判定する（ステップＳ５）。操作信号の入力がない場合（ステップＳ５／ＮＯ）、制御部１５５Ａは、操作信号が入力されるまで待機する。また、制御部１５５Ａは、操作信号が入力された場合（ステップＳ５／ＹＥＳ）、入力された操作信号に従って、投射開始時間を変更し（ステップＳ６）、記憶部１５１Ａに、新たな投射開始時間を記憶させる。投射開始時間として設定時間が選択された場合には、この選択された設定時間が投射開始時間として設定される。また、設定時間の選択を解除する操作信号が入力された場合には、投射開始時間として実起動時間が設定される。
【００５３】
図６は、電源スイッチ１３がオンされた後のプロジェクター１００Ａ、１００Ｂ及び１００Ｃの動作を示すフローチャートである。プロジェクター１００Ａ、１００Ｂ及び１００Ｃの動作は同一であるため、ここでは、プロジェクター１００Ａの動作について説明する。
電源スイッチ１３がオンされ、プロジェクター１００Ａへの電源供給が開始されると、制御部１５５Ａは起動処理を開始する（ステップＳ１１）。制御部１５５Ａは、起動処理が完了したか否かを判定し（ステップＳ１２）、起動処理が完了していない場合（ステップＳ１２／ＮＯ）、起動処理が完了するまで待機する（ステップＳ１２）。また、制御部１５５Ａは、起動処理が完了すると（ステップＳ１２／ＹＥＳ）、画像の投射開始を待機時間だけ待機する（ステップＳ１３）。制御部１５５Ａは、待機時間が経過したか否かを判定し（ステップＳ１４）、待機時間が経過していない場合（ステップＳ１４／ＮＯ）、待機時間が経過するまで画像の投射開始をミュート状態で待機する。また、制御部１５５Ａは、待機時間が経過したと判定する場合（ステップＳ１４／ＹＥＳ）、投射面への画像の投射を開始する（ステップＳ１５）。これにより、プロジェクター１００Ａ、１００Ｂ及び１００Ｃの投射開始タイミングを一致させ、投射面に全体として１つの画像を表示させることができる。
【００５４】
上述した実施形態では、各プロジェクター１００への電源供給をオフにしておき、電源の供給が開始されてから予め設定された設定時間が経過した場合に、各プロジェクター１００が画像の投射を開始するように構成した。これ以外のプロジェクター１００の動作として、例えば以下のように設定することもできる。
例えば、各プロジェクター１００の電源状態を、リモコン５の操作信号を受信可能なスリープ状態に設定する。スリープ状態とは、プロジェクター１００の一部の構成への電源供給をオフしてプロジェクター１００の消費電力を低減した状態である。また、１つのリモコン５によりプロジェクター１００Ａ、１００Ｂ及び１００Ｃの３台のプロジェクター１００のすべてを操作できるように設定する。また、各プロジェクター１００を、リモコン５から送信される操作信号を受信した場合に、スリープ状態から、画像の投射が可能な状態（通常状態）に復帰するように設定する。各プロジェクター１００は、予め設定された操作信号を受信すると、スリープ状態から通常状態に復帰し、操作信号の受信から予め設定された設定時間を経過すると、画像の投射を開始する。このように設定することで、各プロジェクター１００が画像の投射を開始するタイミングを一致させることができる。このため、複数のプロジェクター１００により全体として１つの画像を投射させることができる。
また、この説明では、プロジェクター１００をスリープ状態から通常状態に復帰させる場合について説明したが、操作信号が入力される前の各プロジェクター１００の状態を、画像の投射が可能な状態であって、画像の投射を停止させたミュート状態としてもよい。また、操作信号の送信機として、リモコン５を使用せずに、例えば、各プロジェクター１００に無線接続されたスマートフォンやタブレットＰＣ等の携帯端末により、操作信号を送信してもよい。この場合、リモコン５や携帯端末から送信される操作信号が、本発明の「指示」に相当する。また、本発明の入力部は、リモコン５により操作信号を送信する場合には、「リモコン受光部１３１Ａ」及び「入力処理部１３３Ａ」が入力部として動作する。また、携帯端末から操作信号を送信する場合、スマートフォンやタブレットＰＣ等の携帯端末との無線通信を行う無線通信部（図示略）が本発明の「入力部」として動作することになる。
【００５５】
以上説明したように本実施形態は、投射部１１０と、電源部１３５と、記憶部１５１と、リモコン５、リモコン受光部１３１及び入力処理部１３３と、制御部１５５とを備える。
投射部１１０は、投射面に画像を投射する。電源部１３５は、電源スイッチ１３がオンされ、商用電源１１から供給される電源が指示として入力され、プロジェクター１００の各部に電源を供給する。記憶部１５１は、電源の供給が開始されてから投射部１１０に画像の投射を開始させるまでの投射開始時間の情報を記憶する。リモコン５、リモコン受光部１３１及び入力処理部１３３は、操作を受け付ける操作受付部として機能する。制御部１５５は、操作受付部が受け付けた操作に基づいて、投射開始時間間を変更する。また、制御部１５５は、プロジェクター１００への電源の供給が開始されると、投射開始時間が経過した後に、投射部１１０に画像の投射を開始させる。
従って、電源部１３５に電源が供給されるタイミングを基準として、プロジェクター１００が画像の投射を開始する時間を設定することができる。例えば、複数のプロジェクター１００に画像を投射させる場合に、複数のプロジェクター１００に同一の設定時間を設定し、複数のプロジェクター１００に指示が入力されるタイミングを調整する。これにより、複数のプロジェクター１００が画像を投射するタイミングを一致させることができる。このため、簡易な構成で、画像の投射タイミングを調整することができる。
【００５６】
また、制御部１５５は、電源部１３５に電源の供給が開始されてから、設定時間が経過するまでの間、投射部１１０により所定の画像を表示させる。
従って、画像の投射が開始されるまでの間に、予め設定された画像が表示されるので、画像の投射が開始されていないことを示すことができる。
【００５７】
また、制御部１５５は、予め設定された画像として、投射部１１０が画像の投射を開始するまでの残り時間を示す画像を表示させる。
従って、使用者に、画像の投射が開始されるまでの残り時間を認識させることができる。
【００５８】
また、制御部１５５は、リモコン５により操作を受け付けると、投射部１１０により設定時間を示す画像を表示させる。
従って、使用者に、設定された設定時間を認識させることができる。
【００５９】
また、制御部１５５は、設定時間を経過した後に、投射部１１０により画像を投射することができなかった場合に、画像の投射ができなかった旨を示す画像を投射させる。
従って、画像の投射が開始されなかった旨を使用者に通知することができる。
【００６０】
また、制御部１５５は、第１モードと第２モードとを切り替えて実行する。第１モードは、電源部１３５に電源の供給が開始されてから、設定時間が経過した後に投射部１１０に画像の投射を開始させるモードである。第２モードは、電源部１３５に電源の供給が開始されると、設定時間の経過を待たずに投射部１１０に画像の投射を開始させるモードである。
従って、第１モードの場合には、設定時間が経過した後に投射部１１０に画像の投射を開始させることができ、第２モードの場合には、設定時間が経過する前に投射部１１０に画像の投射を開始させることができる。このため、他のプロジェクター１００と画像の投射タイミングを同期させる第１モードと、画像の投射タイミングを同期させずに画像の投射を開始させる第２モードとを切り替えて実行させることができる。
【００６１】
上述した実施形態は、本発明の好適な実施の形態である。但し、本発明は、上述の実施形態に限定されるものではなく、本発明の要旨を逸脱しない範囲内で種々の変形実施が可能である。
例えば、上述した実施形態では、記憶部１５１に記憶させた画像データに基づいて投射面に画像を投射する場合について説明したが、外部の画像供給装置から供給される画像データをプロジェクター１００が処理して、投射面に投射させる構成であってもよい。また、上述した実施形態では、リモコン５を用いて設定時間を変更する場合について説明したが、通信部を介して接続されたＰＣ等の端末から送信される操作信号に基づいて、設定時間が変更されてもよい。
【００６２】
また、上述した実施形態では、プロジェクター１００Ａ及び１００Ｂを、透過型液晶パネルを用いた液晶プロジェクターとして説明したが、反射型の液晶パネルやデジタルミラーデバイスを用いたプロジェクターであってもよい。
【００６３】
また、図２に示すプロジェクター１００Ａの各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【００６４】
また、図５及び図６に示すフローチャートの処理単位は、制御部１５５の処理を理解容易にするために、主な処理内容に応じて分割したものである。図５及び図６のフローチャートに示す処理単位の分割の仕方や名称によって本発明が制限されることはない。また、制御部１５５の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【００６５】
５…リモコン（操作受付部）、１１…商用電源、１３…電源スイッチ、１５…ダクトレール（電源ライン）、１７Ａ、１７Ｂ、１７Ｃ…コネクター、１００、１００Ａ、１００Ｂ、１００Ｃ…プロジェクター（表示装置、第１の表示装置、第２の表示装置）、１１０Ａ…投射部（表示部）、１１１Ａ…光源部、１１２Ａ…光変調装置、１１３Ａ…投射光学系、１２１Ａ…光源駆動部、１２２Ａ…光変調装置駆動部、１３１Ａ…リモコン受光部（操作受付部、入力部）、１３３Ａ…入力処理部（操作受付部、入力部）、１３５Ａ…電源部（入力部）、１４１Ａ…画像処理部、１４３Ａ…フレームメモリー、１５１Ａ、１５１Ｂ、１５１Ｃ…記憶部、１５３Ａ、１５３Ｂ、１５３Ｃ…設定テーブル、１５５Ａ、１５５Ｂ、１５５Ｃ…制御部（変更部、制御部）、１６０Ａ…バス、ＳＣ…スクリーン。
【図１】
2018165738.tif 000003
【図２】
2018165738.tif 000004
【図３】
2018165738.tif 000005
【図４】
2018165738.tif 000006
【図５】
2018165738.tif 000007
【図６】
2018165738.tif 000008